(57)【要約】【課題】  乳房のバージスラインの湾曲形状に適合したカップ部を有する女性用衣類を提供すること【解決手段】  カップ部材（２）を脱着自在に係止するベース部材（３）は、フック係止部（７）と面ファスナー（６）を設けたカップ支持部（４）と表装部（５）とを備え、カップ部面ファスナー（１０）とフック留め部（１１）を備えるカップ部材（２）を面ファスナーとフックでベース部材（３）に脱着自在に係止した、カップ部を有する女性用衣類。【選択図】      図１
2019090127.tif 000002
【特許請求の範囲】
【請求項１】
カップ部材（２）を脱着自在に係止するベース部材（３）は、
各カップ部材（２，２）の外上端（１２）を吊り下げ係止するための左右上端部（８，８）のフック係止部（７）と、
カップ部材（２）の下端バージス部（１３）の湾曲と対向する位置に面ファスナー（６）を設けた左右のカップ支持部（４，４）と、
衣類の胸部表面を覆う伸縮性布地からなる表装部（５）と、を備え
乳房を支持するカップ状の隆起部を備えた左右１対のカップ部材（２，２）は、
カップ部材（２）の下端バージス部（１３）の湾曲面に沿って配されたカップ部面ファスナー（１０）と、
カップ外上端（１２）に設けられたフック留め部（１１）とを備え、
左右のカップ部材（２，２）は、
カップ部面ファスナー（１０）をベース部材（３）のカップ支持部（４）に当接させ、
カップ部材（２）の外上端（１２）をフック留め部（１１）を介してベース部材（３）の左右上部に設けられたフック係止部（７）から吊り下げられることで、表装部（５）の裏面側（９）にカップ部材の隆起部外面を当接させるようにしながらベース部材（３）に脱着自在に係止されていること、
を特徴とする、脱着自在なカップ部材からなるカップ部を有する女性用衣類。
【請求項２】
カップ部（２）の下端バージス部（１３）あるいはベース部材（３）のカップ支持部（４）内に金属製あるいは樹脂製のワイヤー（１４）を内包していることを特徴とする請求項１に記載のカップ部を有する女性用衣類。
【請求項３】
ベース部材の左右上端部（８，８）裏面からカップ支持部（４）の左右の裏面外側（１６，１６）にかけてそれぞれ伸縮性のメッシュ編地（１５，１５）を備え、ベース部材（３）の表装部（５）とメッシュ編地（１５）との間にカップ部（２）が配されることを特徴とする、請求項１又は請求項２のいずれかに記載のカップ部を有する女性用衣類。
【発明の詳細な説明】
【技術分野】
【０００１】
本発明は、女性の乳房下辺のライン（バージス）に沿う湾曲形状部を備えたベース部材に、このバージスの湾曲形状に沿うカップ高さの異なる複数のカップ部を選択して取り付け可能とすることで、着用者のカップ高さにあわせたカップ部が選択可能な、ブラジャー、キャミソール、タンクトップなどの、肌に着用するカップ部を備えた女性用衣類に関する。
【背景技術】
【０００２】
ブラジャーをはじめ、ブラ付キャミソール、ブラ付きスリップ、ブラ付タンクトップ等のファンデーションには、一般的に乳房を内部に収納保持する乳房形状のカップ部を備えている。こうしたカップ部のある衣類は、乳房の重さを単に静止状態で支えればよいというものではなく、動きのあるなかで、揺れなどにも対応しつつ適切な姿勢で保持しつづけることができることが求められている。すると、重量があり動きも伴うなかで乳房を正しく保持していくためには、カップ部自体も乳房形状をある程度保持しうるものである必要がある。そこで、たとえば発泡ウレタン樹脂材を成形型にあわせて熱処理を加えて丸みをつけるモールド加工によって、乳房形状にお椀のように湾曲させたカップ部としたものが用いられている。ある程度の厚みのある樹脂を押しつぶすことから、型の隙間を調整することである程度の硬さのあるカップ部が得られることとなる。縫い目のないカップ部は、肌あたりも優しいものとなる。
【０００３】
もっとも、乳房を含むボディラインをより美しい姿とするためには、胸が垂れてみえないように乳房を下方から持ち上げるように支持することが求められる。たしかにモールド加工されたカップ部は単なる布を重ねあわせたものよりも保持力は強いものの、重みのある乳房を支えるには十分とはいいきれない。そこで、カップ部の底面の下辺湾曲部、すなわち、乳房の下辺に沿わせるバージス部に対向する位置のカップ部内部に、ＬもしくはＵ字状の金属製ワイヤーもしくは剛性のある樹脂製ワイヤーを配して、カップ形状を下側から拘束して、乳房を下方からしっかり支えようとする、いわゆるワイヤー入りのカップ部を有したブラジャーの女性用衣類がある。さらに金属製のワイヤーを形状記憶合金とすることも好適とされている。こうしたワイヤーによって、カップの下方が荷重で左右に拡がるように変形することが抑制されるので、曲率が変化せず、乳房がより上方に高く保持しうるものとなる。
【０００４】
たしかにワイヤー入りの下着は乳房の形状保持力が高く、着用時の姿が美しく形状補正にも資することから多用されているが、一方で、ワイヤーで下側を締めつけることから、とりわけ曲率が乳房の下辺湾曲と適合していないブラジャーを着用してしまったときには、乳房の下辺が押されたり擦れたりして、痛みを覚えて長く着用していられないといったことが生じてしまいがちであり、決して快適とはいえないことともなっている。
【０００５】
こうしたトラブルは、ブラジャーのサイズが体に合っていないからだ、と言われている。そして、一般的にブラジャーを着用したときに体に合っていないとされる事例としては、体を左右に動かすとカップが胸から浮いてしまう場合、腕を振ると胸の肉が脇からはみ出てくる場合、両手を上にあげるとブラジャーが上にずれ上がる場合、ブラジャーをしているのに胸が大きく揺れる場合、両肩を回すと肩ストラップがずり落ちる場合、前傾するとブラジャーの後ろバンドが吊り上がってしまう場合などが挙げられることが多い。
【０００６】
こうした体型に合っていないブラジャーの使用を避けるには、着用者のサイズを正しく計測することが望ましいのはいうまでもない。ブラジャーのサイズは、日本工業規格ＪＩＳ  Ｌ４００６「ファンデーションのサイズ」に規定されているとおりで、アンダーバストのサイズを基本身体寸法とし、トップバストとアンダーバストの差をカップ体型区分として、アンダーバスト７０のＣカップ体型なら、Ｃ７０といった表記のサイズに見合ったブラジャーを着用するなどしている。
【０００７】
しかし、カップ体型は、トップバストとアンダーバストの差にすぎず、
Ａカップ体型：バストとアンダーバストの差が約１０ｃｍ の人の体型であり、
Ｂカップ体型：バストとアンダーバストの差が約１２．５ｃｍ の人の体型、
Ｃカップ体型：バストとアンダーバストの差が約１５ｃｍ の人の体型、
Ｄカップ体型：バストとアンダーバストの差が約 １７．５ｃｍの人の体型、
Ｅカップ体型：バストとアンダーバストの差が約２０ｃｍの人の体型と、
アンダーバストと関係なしに、２．５ｃｍ刻みでアンダーとトップの差だけを指標として類型化したにすぎないので、現実の人体の体型においては、Ｅ７０の人とＥ８５の人とでは、乳房の立体的なフォルムが全く異なることは、明らかといえる。
【０００８】
このように、同じＪＩＳ規格の製品であっても、カップ部の実際の形状やサイズは、各社によっても、製品の形状によってもバラツキが生じる余地があり、目安とはなるものの、一様となりえない指標である。そこで、ＪＩＳのサイズ表記だけを手がかりとしても、フィット感が適切なものが容易には得られないから、ワイヤーによる痛みの発生や、体型にあわないブラジャーを着用してしまうトラブルが頻発することともなっている。
【０００９】
さらに、各人の乳房の形状にも違いがあることから、似たような容量であっても、乳房の下辺付け根の湾曲が描くバージスラインにも違いがあることから、サイズをあわせたからといって、ジャストフィット感には直結しなかった。
【００１０】
そこで、本願の発明者は、いわゆる既製品のブラジャーでは対応しきれない細かな体型を把握できるように、カップ部を有する衣類のオーダーメイド用計測サンプルと、カスタムサイズのカップ部を有するオーダーメイド用計測サンプルの試着を可能としたことを特徴とするカップ部を有する衣類のオーダーメイド方式を発明した（特許文献１参照。）。
【００１１】
これらは計測サンプルであるから、各パーツをサイズ違いのパーツに種々に交換調整可能となっており、具体的には、乳房を覆うための左右一対のカップ部と、カップ部を支持するためのカップ受部と、カップ受部の両脇部に連結されるバック部とから構成され、カップ受部に対して、カップ部及びバック部を着脱自在に連結可能としている。そして、カップ部の上端部には肩ストラップが取り付けられ、バック部と連結可能となっており、また、カップ受部は、左右一対のカップ部に対応する形態に形成され、上端縁にバージスラインに沿った形状のカップ受湾曲部を有する本体部と、この本体部の両脇部に設けられ、バック部と連結するためにかぎホックのアイを寸法調節可能に２列備えた連結部とによって構成されている。こうした手法により、着用者に装着しながらジャストフィットするサイズを模索して把握することができる。
【先行技術文献】
【特許文献】
【００１２】
【特許文献１】特許第３６５２２５１号公報
【発明の概要】
【発明が解決しようとする課題】
【００１３】
さて、上述のとおり、既製品では、ＪＩＳに規定されたサイズ、すなわちカップ体型とアンダーバストから求めたサイズ毎に取り揃えられた商品が提供されているが、そうして取り揃えた品数は、カップそのものではなく、あくまでアンダーバストの胴回りの紐やストラップなどが組み合わさった製品としてのバリエーションである。そうした製品に用いられているカップ部そのものとなると、多数のサイズで共用されている。カップ部はモールド加工されることから、金型が増えすぎるとコストを非常にアップしてしまうので、経済性から汎用性をフィット性よりも優先しているからである。
【００１４】
たとえば表１に示すのは一般的なカップでは、Ｖの隣の数値が同じものは、同じカップ部材が共用されていることを示している。たとえば（Ｖ３）であれば「Ａ７５」と「Ｂ７０」と「Ｃ６５」が、（Ｖ５）であれば「Ａ８５」「Ｂ８０」「Ｃ７５」「Ｄ７０」「Ｅ６５」では、それぞれカップ部材が共用されているのある。
【００１５】
【表１】
2019090127.tif 000003
【００１６】
たしかにおおよその容量としては、Ａ８５とＥ６５は同じ位かもしれないが、実際の乳房の立体形状は、Ａ８５は平べったく、Ｅ６５は前方に突出した外観であって、全く異なるはずである。それにもかかわらず、カップサイズが共用化されることとなると、サイズをあわせたところで、フィット感が得られにくいことになっても不思議はない。すなわち、通常の既製品では、サイズがあっていてもジャストフィットしにくく、とりわけワイヤーの入った補正機能の高いブラジャーでは、ワイヤーが食い込んで痛いといったトラブルが生じやすいこととなっている。
【００１７】
そこで、乳房の下辺の付け根の形状であるバージスの湾曲ラインに沿ったカップやワイヤー形状であることが望ましいこととなる。こうしたバージスに見合ったカップ部を選択する場合には、たとえば特許文献１に記載の方法で試着して計測することが端的である。計測によって、端的にフィットする衣類がどのようなパーツを組み合わせるべきかは示唆されることとなる。
【００１８】
しかし、実際に計測結果に基づいて製品化しようとすると、各パーツを各計測結果に応じて縫製して製品化しなければならず、オーダーメイドのために単純にこうしたパーツをすべて揃えようとすると、膨大なパーツを用意したうえで供給する体制を整えなければならず、理想的な製品を種々のデザインで簡易に提供することは困難であり、オーダーメイドでありながら、自由度が実質的に低いものともいえた。
【００１９】
そして、乳房のバージスラインの湾曲に沿わせたカップ部を取り付け可能なカップ受け部を備えたベース部材と、そのバージスライン毎に異なるカップ高さのカップ部を用意したとしても、さらに、その形状に見合った表装を用意しなければならないこととなる。すると、複雑な組合せであればあるほど着用者毎のフィット感が適切に得やすいとしても、用意しなければならない表装材も非常に増えてしまうことから、コストが押しあがってしまうこととなっていた。
【００２０】
また、たしかに計測時にカップサイズを変更しながらフィットするサイズを把握することができるので、その計測結果に基づいて制作されるブラジャーは１つのジャストフィットしたカップサイズが得られることとなる。しかし、女性の乳房は、生理前には張ることがあり、サイズは固定されておらず、体調に応じても微妙に変化を繰り返すことがある。すると、こうしたサイズの変化に追従していくには、ブラジャーを２組用意するなどすることが必要となっていた。そこで、こうした変化にも対応可能な製品が求められている。
【００２１】
そして、計測結果に基づいて製品を製造する場合は、計測が正しくなされることが前提となるところ、複雑にパーツを組み合わせてフィット感を確かめることとなると、不慣れなものが計測をすれば、計測誤差が大きくなったり、計測ミスが発生したり、経験不足からくる微妙な調整ができず、ジャストフィットせず、サイズがやや前後することも起こりがちである。そうした計測ムラを吸収できる調整代の大きい製品も望まれている。
【００２２】
さらに、計測時とオーダーメイドの仕上がり時でも着用者のサイズが微妙に変動していることが起こりうる。とりわけ、オーダーメイド製品で製品の納期が長くなる場合には、納品時に発注者のサイズが変化しており、フィットしなくなっていることも生じうる。納期が伸びればそれだけ納品段階で体に合わなくなるリスクが高まってくる。オーダーメイドは既製品よりも納期がかかりがちであるうえに、オーダーメイドは高額商品となることから、トラブルのリスクが増すことから、できるだけ納期を短縮しうることが望まれている。
【００２３】
そこで本願が解決しようとする課題は、乳房のバージスラインの湾曲形状に適合したカップ部を有する女性用衣類であって、カップ部を脱着自在とすることで複数のカップ高さのカップ部を交換可能としつつ、表装をカップ部の高さ変化に追従可能とすることで、乳房のフィット感は確保しつつも製品のパーツ数を減らし、製造納期を短縮可能としたりサイズ修正をしやすくすることで、製品歩留りを高めることのできる、カップ部を有する女性用衣類を提供することである。そして、乳房のトップの位置を高く保持し、姿よく整えることのできるカップ部を有する女性用衣類を提供することである。
【課題を解決するための手段】
【００２４】
上記の課題を解決するための本発明の手段は、第１の手段では、
カップ部材を脱着自在に係止するベース部材は、各カップ部材の外上端を吊り下げ係止するための左右上端部のフック係止部と、カップ部材の下端バージス部の湾曲と対向する位置に面ファスナーを設けた左右のカップ支持部と、胸部表面を覆う伸縮性布地からなる表装部と、を備え
乳房を支持するカップ状の隆起部を備えた左右１対のカップ部材は、カップ部材の下端バージス部の湾曲面に沿って配されたカップ部面ファスナーと、カップ外上端に設けられたフック留め部とを備え、
左右のカップ部材は、カップ部面ファスナーをベース部材のカップ支持部に当接させ、カップ部材の外上端をフック留め部を介してベース部材の左右上部に設けられたフック係止部から吊り下げられることで、表装部の裏面側にカップ部材の隆起部外面を当接させるようにしながらベース部材に脱着自在に係止されていること、
を特徴とする、脱着自在なカップ部材からなるカップ部を有する女性用衣類である。
【００２５】
このように、ベース部材の伸縮性の表装部の裏面とカップ支持部の前面の間にカップ部を配して、各カップ部はその外上端のみをベース部材の上部左右端からフック係止により吊り下げられることとなる。すると、ベース部材の表装部は、裏面に配されたカップ部の隆起に押されて伸びることから、カップ部の丸みに沿うようにして前方に突出することとなる。カップ高さが異なるカップ部をベース部材に取り付け配しても、表装部が伸縮するので、表装部裏面とベース部材のカップ支持部前面との間に複数の高さのカップ部が不自然なく納まることとなる。
【００２６】
本発明の第２の手段は、カップ部の下端バージス部あるいはベース部材のカップ支持部内に金属製あるいは樹脂製のワイヤーを内包していることを特徴とする第１の手段に記載のカップ部を有する女性用衣類である。
【００２７】
本発明の第３の手段は、ベース部材の左右上端部裏面からカップ支持部の裏面外側にかけて伸縮性のメッシュ編地を配し、ベース部材の表装とメッシュ編地との間にカップ部が配されることを特徴とする、第１又は第２の手段に記載のカップ部を有する女性用衣類である。
【００２８】
伸縮性のメッシュ編地とは、パワーネットあるいはストレッチチュールと呼ばれるスパンデックス等の伸縮糸でメッシュ状に編まれた布帛で、縦横２方向に伸縮しうるものである。乳房のやや外寄りの部位を下方から上方に引き上げることとなるので、乳房は持ち上がると同時にやや中央に寄せられることとなる。
【発明の効果】
【００２９】
本願発明によると、ベース部材のサイズを適切に選択することで、簡易に乳房のバージスラインの湾曲形状に適合したカップ部を有する女性用衣類を提供することができる。そこで、乳房の下部がワイヤー部材やベース部材に不自然に押さえられるなどせず、違和感なく装着しうるものとなる。
【００３０】
また、カップ部を脱着自在とすることで複数のカップ高さのカップ部を交換可能とすることができるので、乳房の下端のバージスラインに沿ったカップ部でありながら、自身の乳房の張り出し具合に近いカップ高さのカップ部を選択して装着することができるので、乳房を十分にサポートする状態が簡易に得られる。
【００３１】
そして、カップ部を脱着可能とすることで交換可能となることから、カップ高さが変化することになるものの、表装が伸縮性であり、内面側のカップ部の隆起に沿って追従的に伸縮しうるので、乳房を支持するフィット感は適切に得られつつも、表装は交換することなくカップ高さの異なる場合も共用しうることとなる。そこで、カップ部のみを脱着して適切なカップ高さのカップ部を選択すればよいので、サイズ毎に表装部材を用意する必要がなく、パーツ数を削減できる。経済的には余剰在庫を削減しうることともなるので、その分だけ製品バリエーションを増やす余力が得やすく、サイズが多様化してもコストを押し上げにくいものとなる。
【００３２】
また、カップ部はベース部材と下辺湾曲部が平面ファスナーで密着係止され、上部外端部をフックで吊り下げているものの、容易に脱着できることから、カップ高さの異なるカップ部に付け替えることができる。そこで、計測後の体型変化や、計測時に測定誤差があったとしても、交換可能であることから、体型に応じた微調整が容易となる。またカップ高さに応じて表装を変更することなくカップ部をベース部材に取り付けることができるので、製造納期も短縮しやすいことから、計測から納期までの期間が短くなるので、計測後の体型変化による不一致リスクを低減しうる。
【００３３】
カップ部は、その上部外端がフックで上方に吊り上げられることから、カップ部全体が下方に下垂しにくく、乳房のトップ位置を高く保持しうるものとなっている。また、バージス部に沿ってワイヤを配することで、カップ部が下垂して拡がることが避けられるので、乳房が下方に流れず、より美しい姿を保持することができる。
【００３４】
さらに、カップの内面に配された伸縮性のメッシュ編地は、カップの外寄り下辺から外寄り上端に斜め上部へと張られており、メッシュ編地と表装部にカップ部は挟まれるように配されている。すると、メッシュ編地はカップ部の湾曲内面に納まる乳房に沿って伸縮する際、乳房のやや外寄りの部位を下方から上方に引き上げることとなるので、乳房は外側が持ち上がると同時にやや中央に寄せられることとなる。そこで、乳房のトップ高さを高く保つリフトアップと寄せの双方の効果が得られることとなる。
【図面の簡単な説明】
【００３５】
【図１】本発明の実施の形態の１つであるブラジャーを表からみた図である。
【図２】本発明の実施の形態の１つであるブラジャーを裏（内側）からみた図である。
【図３】右のカップ部材を内側からみた図である。
【図４】他の形態の右のカップ部材を内側からみた図である。
【図５】（ａ）はベース部材であり、(ｂ）は、ベース部材にカップ部材を取り付けたブラジャーの右半分を内側から示した図である。
【図６】図１のＡ−Ａ断面図であり、図６（ａ）は、ワイヤーがカップ支持部に設けられている図であり、図６（ｂ）はワイヤーがカップ部材の内部に設けられている場合の図である。図面の右が表側、左がカップの内側である。
【図７】Ｅカップ体型のカップ部材のＥ７０、Ｅ７５、Ｅ８０、Ｅ８５を重ねてバージスラインの違いを示した参考図である。
【図８】本発明の他の実施の形態のブラジャーを表からみた図である。
【図９】バージスラインが共通するカップ高さの異なるカップ部を複数重ねて、カップ部切断部内面を描写した模式図である。
【発明を実施するための形態】
【００３６】
本発明を実施するための形態について、以下、適宜図面を用いて説明する。本発明のカップ部を有する女性用衣類は、ブラジャーに限らず、キャミソールやスリップ、タンクトップ、などカップ部を備えた種々の女性用衣類に適用可能である。以下では、ブラジャーを例に説明する。
【００３７】
まず、図１に本発明のブラジャーを表からみた外観の一例を示す。本発明のカップ部を有する女性用衣類の実施の形態の一例として示すブラジャー（１）は、左右のカップ部材（２，２）をベース部材（３）の伸縮性の表装部（５）の裏面に配しているものであり、一見したところでは普通のブラジャーと遜色のない通常の外観を呈している。この表層部（５）は伸縮性であるため、カップ部材（２）のカップ高さが異なるものでも、カップくりの形状に沿うように伸びて沿うことができる。図１では、表装部（５）の布を左右の乳房の谷間を覆う大きめの布を用いた例で説明し、カップ部の突出に沿って布の一部が前方に飛びだす場合で説明しているが、それに限られるわけではない。たとえば、図８に他の実施の形態として示すブラジャーのように、表装部（５）の布は、通常のブラジャーのような谷間のある布地で、カップ高さが異なるカップ部材を装着するときには、伸縮することでカップ部材の形状に沿うようになっているものであってもよい。以下では、図１のブラジャーを例として説明するが、もちろん、図８のような表装部（５）を備えたブラジャー（１）にも用いることができる。
【００３８】
さて、図１のブラジャー（１）を裏からみた図を図２に示す。カップ部材（２）が左右に配されており、カップ部材（２）のカップ底面の下端バージス部（１３）の湾曲に沿ってカップ支持部（４）がベース部材（３）に備わっている。カップ部材（２）はカップ支持部（４）とは、カップ支持部上の面ファスナー（６）とカップ部面ファスナー（１０）を密着させて係止させている。この面ファスナーはたとえば幅５ｍｍ程度であり、カップ部材（２）の下端の縁と対向するように長手に１０ｃｍ程度配されている。面ファスナーは連続的でも断続的でもよいが、面ファスナーを密着させたときに保持力を高めるには、面積が一定程度確保されていることが好ましい。
【００３９】
面ファスナー（６）とカップ部面ファスナー（１０）とは、たとえば、一方がフック状に起毛された面で、他方がループ状に密集して起毛された面であり、双方を押し付け合うとそれだけで貼り付くようになって全体が面ファスナーとして機能するものである。なお、ループ状とフック状の双方の面は、いずれかを面ファスナー（６）とし、他方をカップ部面ファスナー（１０）とすればよく、入れ替わってもよい。また、押し付けただけで密着できるのであれば、フックとループの組合せに限定されておらず、たとえば、プラスチック樹脂製ワイヤループと、起毛パイルとを密着させることでも、ワイヤループが起毛パイルに絡み合って密着できるなら、こうした組合せでも面ファスナーとして機能する。
【００４０】
そして、片方の面に起毛パイル生地を広く用いていれば、他方の面はこの起毛パイル生地と絡むワイヤループのようなフックの役割を果たす部材を必要な箇所に配するだけでも、適宜絡み合って密着固定できることとなる。すると、面ファスナーの配置を厳密に対向させた配置とせずともよくなるので、製造が容易となりやすい。たとえば、カップ支持部側のカップ支持部上の面ファスナー（６）を細いプラスチック樹脂製ワイヤーループとした場合、カップ部材の裏面下辺周縁部に軟らかい起毛パイル生地を配さして、これをカップ部面ファスナー（１０）とする。すると、軟らかい起毛パイル生地が肌に触れても不快感を与えないので、面ファスナーによる取り付け面同士の位置合わせを厳密にせずともよくなるので、カップ部材を複数取り替えて用いる場合に双方の密着位置のすり合わせが容易となる。
【００４１】
次に、カップ部材（２）は、たとえば、発泡ウレタン樹脂を、あるいは複数の樹脂材を重ねあわせたものを、成形型に挟んで熱処理を加えて丸みづけするモールド加工によって、乳房形状に湾曲させたカップ部を得て用いることができる。カップ部材（２）はその本体を発泡ウレタン樹脂そのままに用いることもできる。
【００４２】
さらに、ナイロン薄布で覆って、内面側にポケット（２０）を設けるなどしてもい（図４）。ポケット（２０）の中には、必要に応じてパッド素材を入れることで乳房のボリュームを増量させる効果を持たせたり、周期的な体調変化による乳房の張りなどに応じてカップ部材（２）を脱着してサイズ交換せずとも、ポケット（２０）内のパッドの厚みを変えることで調整することが可能としてもよい。
【００４３】
また、モールド加工時に複数の樹脂材を組み合わせる場合は、カップ内部に空隙を設けるなどすることで、カップ部の下半分に厚みを持たせたり、さらに中空部を設けたりすることもできる。
【００４４】
図３、図４は、右のカップ部材を内面側から示した図であり、中央部分がカップ状に隆起しており、図面上では奥まって位置している。カップ部材（２）の右上隅が外上端（１２）であり、フック留め部（１１）とその先にＺカン（１９）が嵌まっており、ベース部材のフック係止部（７）にＺカン（１９）をひっかけてカップ部材（２）を吊り下げることができ、取り外しも容易にできる。このように外上端（１２）からカップ部材（２）を上方に吊り上げることで、カップ部材の下端バージス部（１３）の外側が上方に引っ張られるので、乳房の外側が上方に規制され、乳房のトップ高さが高くなり、やや中央に寄るので、姿がきれいになる。なお、フック係止部とフック留め具とは、一例としてＺカンを用いて例示しているが、カップ部を取り外し自在とすることができるものは、スナップボタンでも、Ｓ字状のフックでも、クリップ式のフックでもよいし、さらにフックを固定する部分に起毛ループ等を配した平面ファスナーによる脱着式フックとしてもよい。
【００４５】
そして、図３のカップ部材（２）の下方は、乳房のバージスラインに沿って湾曲した下端バージス部（１３)となっており、下辺湾曲に沿って設けられた縁どり部にカップ部面ファスナー（１０）が配されており、面ファスナーによって脱着自在となっている。
【００４６】
なお、図６（ｂ）に示すように、カップ部材（２）の下端バージス部（１３）の付近には、たとえば形状記憶合金からなる金属製のワイヤー（１４）が内包されている。これにより、乳房の荷重がかかってもカップが左右に拡がらず、乳房を下垂させずにカップ形状を保持したまましっかりと支承することができる。ワイヤー（１４）は、金属製ワイヤー、硬質プラスチック樹脂製ワイヤーなどいずれも適用可能であり、乳房の形状や適用する年齢層によて、Ｌ字状やＵ字状のカーブの湾曲をしたワイヤーを適宜選択することができる。また、さらにカップ部の下辺の乳房の付け根付近に相当する部分を樹脂プレート板によって補強すると、ワイヤー（１４）と相俟って樹脂プレートによってより下方にかかる荷重をしっかりと支えることができる。
【００４７】
次に図６（ａ）に示すように、図６（ｂ）のようなカップ部材（２）の下端バージス部（１３）の辺りにワイヤー（１４）を内包させる態様に代えて、カップ支持部側にワイヤー（１４）を配する態様としてもよい。この場合は、バージスラインの直下に相当する位置にワイヤーを挿入するのではなく、バージスラインより下方のベース部材中にワイヤーを内包させることでもよい。ベース部材（３）のカップ支持部（４）のバージスラインの稜線よりもやや下にワイヤーを配するようにしても、カップ支持部（４）の湾曲線が横に拡がらないように支持することが適切にできるからである。すなわち、図６（ａ）に示すように、カップ支持部側にワイヤー（１４）を配した位置は、バージスラインよりもやや下である。カップ支持部側にワイヤーを配する場合は、支持部側の部材は、着用者のバージスラインにジャストフィットしているものを着用したうえで、カップ高さの異なるカップ部材（２）のなかから、本人の乳房のカップ高さに見合うものを選択して、フック部と面ファスナーを介して選択したカップ部材（２）を取り付けて着用することとなる。
【００４８】
図５（ａ）には、カップ部材（２）を取り付ける前のベース部材（３）を示している。この図面は右半分を内側から図示するものである。図５（ａ）では、下方中央に示される湾曲部が面ファスナー（６）の取り付けられたカップ支持部（４）であり、カップ部材（２）を下方から支えることができるようにやや硬質な素材としておくことが好ましい。ベース部材の湾曲部にワイヤーを配することもできる。そして、図５（ｂ）のようにカップ部材（２）をとりつけると、カップ部材（２）の外上端（１２）のフック留め部（１１）を、上端部（８）のフック係止部（７）から吊り下げることで、乳房を保持することに加えて、乳房の外側をリフトアップすることができるものとなっている。
【００４９】
さらに、ベース部材の裏面には、左右の乳房の外側を下から斜め上（図５では右斜め上方）に引き上げうる位置にパワーネットのメッシュ編地（１５）が配されている。これは、カップの裏面、すなわち乳房の当接面側の外寄りに配されたメッシュの編地が乳房の外側を上方へと引き上げることとなるものである。カップ部材（２）はこのメッシュ編地（１５）とカップ支持部（４）の間に挿し入れて吊り下がることとなる。なお、メッシュ編地（１５）によって乳房の外側を上方に引き上げられるときには、乳房がやや中央に寄りながら上方にリフトされることとなるので、バストアップと寄せる効果の双方がより実現されやすくなる。メッシュ編地（１５）はパワーネットのような伸縮素材であるから、乳房に押されてカップ部材（２）のカップくりに沿うように適度に伸びることができる。あらかじめ乳房のカップくりに沿うように、カップ部材（２）を取り付ける前の状態で、メッシュ編地（１５）を張り切らずに少し生地に伸びるための遊びを持たせておくと、カップくりの深さ近くまで伸びやすくなるので、適度にバストの外側を上方に引き上げ、やや中寄りに引き寄せることとなる。
【００５０】
そして、図５（ｂ）に示すように、カップ部材（２）は取り付けられると、ベース部材の表装部（５)の裏面（９）側から表装部（５）を前方に押し出すこととなるので、表装はバストラインとして描くシルエットに沿って、図面では奥へと押し出される。図１や図８に示したように、カップの突出に沿って表装部（５）のラインが美しく形成される。そして、吊り下げられたカップ部材（２）は、上方から吊り下げられると同時に、下方のバージスの湾曲に沿って配された面ファスナーにより密着係止されている。すなわち、ベース部材の面ファスナー（６）とカップ部面ファスナー（１０）が図６（ａ）あるいは図６（ｂ）に示されるように、重なりあう位置にあるので、面ファスナーが密着係止しうるものとなっている。このように、吊り下げ部と面ファスナーとで、カップ部（２）はベース部材（３）とは脱着自在に係止されるものとなっている。
【００５１】
ところで、この面ファスナー（６）の上辺のライン、すなわち、カップ部材（２）の下端バージス部の湾曲が、乳房のバージスラインに沿うサイズをあらかじめ計測時に正しく選択しておくことが重要である。一般的なファンデーションにおけるカップサイズは、上述のとおりカップ体型とアンダーバストのサイズから決めているものの、実際には、表１に示したように、容量の似通ったカップが複数のサイズ間で共用されていることから、着用者のバージスラインとはカップ部の描くラインは必ずしも適合していない。ところが、バージスラインの周囲にワイヤーが配されることが多いので、ワイヤーによる痛みなどの不快な状況が発生している。
【００５２】
そこで、本発明を実施する際には、まず、着用者のバージスラインにあったベース部材を選択し、乳房のバージスラインに沿ったカップ支持部（４）の形状を優先的に選択するものとする。すると、カップ高さは、このカップ支持部（４）の湾曲にあったものが選択されることとなるので、カップ高さを正しく選択すれば、フィット感が十分に得られることとなる。そして、バージスライン毎に、カップ高さが異なる複数のカップをあらかじめ用意しておくことで、カップ高さがあわない場合であっても、カップ部材（２）を外して交換することで、見合ったカップ高さのカップ部材（２）を選択しうることとなる。
【００５３】
こうしたカップ高さを変えることとなれば、表装の生地のサイズもかわるので、影響は非常に大きなものとなるはずであるが、伸縮性の表装部を用いていることから、数サイズ前後しても対応しうるものとなっている。そこで、部品を交換することも必要がなく、着用者を計測した時のマッチング不良や、本人の体調の変化、などに応じて、交換対応ができる。さらに、あらかじめ製造済のベース部材にカップ部材を組み合わせて供給も可能なので、製造納期を短縮したり、製品在庫を圧縮することができる。また、納品時に微調整も容易となる。
【００５４】
図７に参考として、一般的なＪＩＳのサイズに対応させたＥ７０〜Ｅ８５まで、４段階のサイズ専用に試作されたカップ部のバージスラインの湾曲を重ねて描き示す。点線はカップ部のモールドの型を内側から観察して図示したものであり、実線で示すのが、乳房のバージスラインと当接する下辺湾曲部であり、バージスラインに見合う湾曲となっている。いわゆるカップ体型はいずれもＥカップであるが、アンダーバストのサイズが異なると、一般的なバージスラインはこのように大きく異なってくるものとなる。
【００５５】
そこで、本発明のカップ部材としては、あらかじめ計測したバージスラインに適合するカップ部材（２）を、カップ高さを変えて複数供給しうるように用意しておくこととする。これは、いわゆるＪＩＳのカップサイズを共用せずに細かく制作しわけるといったものではなく、アンダーバストとカップ高さという概念から離れ、アンダーサイズではなく、バージスライン毎に深さの異なるカップ高さのバリエーションのカップ部材（２）をそれぞれ用意することとする。すると、バージスラインを適切なままに、カップ高さのみ変えていくことが可能となる。すると、乳房の下辺湾曲にそった形状のカップ支持部（４）をそなえたベース部材（３）の装着時には、バージスラインの周辺に違和感がないかぎり、適切なカップ高さを選ぶことができることとなる。そこで、バージスラインに沿ったベース部材の選択を優先するだけで、あとはカップ高さの微調整は容易に実施しうることとなる。
【００５６】
従来の既製品では、上述の表１に記載したように、カップ容量が近いカップサイズをバージスラインとは全く無関係に共用させていることが多く、表１の（Ｖ５）のカップであれば「Ａ８５」「Ｂ８０」「Ｃ７５」「Ｄ７０」「Ｅ６５」に共用されることとなる。しかし、これは、容量が近いだけであり、平べったい形状から前方に突出した形状まで、全く乳房の形やラインが異なることから、こうした製造上の都合でバリエーションを抑える発想では、ジャストフィットは困難となる。図７のように同じＥカップでもバージスラインはさまざまであり、カップ高さで決めることも適切ではないし、カップ部材をＪＩＳの各サイズにあわせてそれぞれ製造することとしても、それらは各サイズ毎にみると、典型的な規格サイズのワンサイズのカップ部材とならざるを得ない。しかしバージスライン自体は、人それぞれなので、典型的な形状にあわない場合は、ジャストフィットしないものとなる。たとえばＥ７０を着用している人は、いわゆるアンダーバストとトップバストから、Ｅ７０を選択するが、同じカップサイズの人でも乳房の形はさまざまで、バージスラインも人によって異なるのでフィット感が得られにくく、バージスラインの違和感は着用時に気になりやすいものとなる。
【００５７】
そこで、実施例のように、複数のバージスラインに沿わせて用意されたベース部材（３）から選択可能としておき、そこに着用者のカップ高さに合うカップ部を用意することとなると、従前のＪＩＳ規格とは異なるカップ部材（２）を取り揃える必要が生じる。バージスラインの形状毎に、カップ高さの異なるカップ部材（２）をそれぞれ用意することとなるのである。たとえば、Ｅ７０のバージスラインであっても、Ｅ７０のひと通りのカップ部材を用意するのではなく、下辺の湾曲形状は共通のバージスラインであって、カップ高さが数ｍｍずつ異なる複数のカップ部材を用意する、といったことになる。
【００５８】
図９に、バージスラインが共通するカップ高さの異なるカップ部材を重ねて、カップ部材を中央付近で縦に切断した切断端面の内面側のラインのみを模式的に描写した説明図を示す。下端バージス部（１３）のバージスラインが共通していても、カップ高さが異なるカップ部材（２）であるので、カップ切断部内面（２１）の描くラインは、前方に突出するライン形状が異なっており、これがカップ全体では立体的な相違となるので、バージスラインとカップ高さによるフィット感は、従来の製品にはない適合具合として体感しうるものとなっている。（なお、図９はカップ部材を縦に切断してカップ高さの違いを見せた模式図であるので、上述の説明に関係のないカップ部材の下端の縁や、切断面やバージス部のラインと関係がない線は、点線で示した。）そして、バージスラインに沿ったカップ部材を用意することとなるので、既製品のカップ部材のみでは、通常的には、こうしたバージスラインとカップ高さの組合せに対応することはできない。そこで、バージスラインの湾曲毎に、段階の異なるカップ高さのカップ部材（２）を製造できるように、金型等を各個に用意することではじめて、従来にないジャストフィットしたカップ部を備えた女性用衣類が工業的には実現可能に得られるのである。
【００５９】
さて、バージスラインとカップ高さの組合せが得られたら、ブラジャーの場合であれば、さらにバックストラップ（１８）の長さを胴回りにあわせて選択することとなる。そこで、バックストラップも多用な長さが組合せうるようにバリエーションを備えておき、ベース部材と縫製容易に組合せうることができるようにしておくとよい。また、ベース部材（３）とバックストラップ（１８）とは、強度的には縫製が望ましいが、面ファスナーなどで脱着係止しうるものとしてもよい。
【００６０】
（サイズ選択の仕方について）
まず、本発明のブラジャー等の女性用衣類は、ベース部材（３）のカップ支持部（４）周辺のサイズが着用者と適合するように、フィッティングの際に、事前に乳房の下辺の湾曲であるバージスのラインにカップ支持部（４）が無理なく沿うようなサイズのベース部材（３）を選択する。ベース部材（３）を着用することで簡易に着用者のバージスラインに合うベース部材を選択できるので、バックストラップの部材と組み合わせることでバージスラインに見合ったベース部材を、計測で数値化せずとも、フィッティングにより体感的に実施できるので、非常に簡単に最適化しうることとなる。
【００６１】
そして、図７に実線で示した複数の湾曲線のように、バージスラインに見合うカーブはバリエーションがある。そこで、ベース部材（３）はあらかじめ複数のパターンから選択できるように容易しておくとよい。この場合のバージスラインは、既製品のカップ部の湾曲ラインにとらわれるわけではなく、バージスラインの幅や湾曲を段階的に用意しておくとよい。そして、ベース部材（３）のパターン毎に、そのバージスラインに見合うカップ高さの異なるカップ部材（２）を複数用意しておき、ベース部材（３）にカップ部材（２）を取り付けて着用感を試すことで、適切なカップ高さの乳房へのフィット感が高い組合せを体感的に素早く選択することができる。
【００６２】
こうしてベース部材（３）とカップ部材（２）の組合せを試着で把握した後、オーダー品の製造にかかることとなる。その際、ベース部材（３）の表装部（５）は伸縮性であるからカップ高さが変わっても作り替えることなく対応できるので、ベース部材（３）を事前に製造して在庫をストックしておくこともできる。すると、バージスラインに見合った必要なカップ高さのカップ部材（２）をあらかじめ用意されているベース部材（３）取り付けることで、オーダー品でありながら、カップ部を有する女性用衣類のブラジャーを迅速に得ることができることとなる。
【００６３】
そこで、試着のフィッティング後に、オーダー品であっても、サイズの見合ったものを簡単に組み上げることができるので、納期を短縮しやすくなる。従前のオーダー品は、フィッティング後に本人に合わせて製造に着手するので、納期までに時間を要していたが、本発明に基づけば、バージスラインに見合ったベース部材を選択する際に、ベース部材（３）の表装部（５）が伸縮しうることから、カップ高さが異なる複数のカップ部材（２）と組み合わせることができるので、ベース部材（３）はバージスラインに基づいたバリエーションに集約することができる。そこで、ベース部材（３）の在庫を備えやすくなるので、表装部（５）の柄や形状にバリエーションを持たせることができる一方で、製造までの時間を短縮しやすいこととなるのである。
【００６４】
さらに、カップ部材（２）は、下辺の面ファスナーと外上端のフックで脱着自在に係止されてることから、カップ高さの異なるカップ部材（２）と交換することもできる。そこで、体調変化等で乳房が張るなどしてカップ高さが合わなくなった場合には、カップ部材（２）を交換することもできる。また、オーダーのフィッティング時と納期時の試着時とで、着用者のフィット感に相違が生じることがあっても、カップ高さの調整によって違和感を解消しやすいものとなるので、製品全体の作り直しといったトラブルを低減することもできる。
【符号の説明】
【００６５】
１  ブラジャー
２  カップ部材
３  ベース部材
４  カップ支持部
５  表装部
６  面ファスナー
７  フック係止部
８  上端部
９  表装部裏面
１０  カップ部面ファスナー
１１  フック留め部
１２  外上端
１３  下端バージス部
１４  ワイヤー
１５  メッシュ編地
１６  カップ支持部の裏面外側
１７  肩ストラップ
１８  バックストラップ
１９  Ｚカン
２０  ポケット
２１  カップ切断部内面
【図１】
2019090127.tif 000004
【図２】
2019090127.tif 000005
【図３】
2019090127.tif 000006
【図４】
2019090127.tif 000007
【図５】
2019090127.tif 000008
【図６】
2019090127.tif 000009
【図７】
2019090127.tif 000010
【図８】
2019090127.tif 000011
【図９】
2019090127.tif 000012